(57)【要約】【課題】幹線でない道路に関しては交通情報が提供されなかった。【解決手段】ユーザー端末１０によりユーザー管理センター端末２０にアクセスし、ユーザー登録しておき、交通渋滞に遭遇した場合、交通情報ネットワーク１００を使用して情報収集センター端末３０にアクセスし、交通情報を通知し、情報収集センター端末は、交通情報を情報提供センター端末４０に通知し、情報収集センター端末は、ユーザーが提供した交通情報の履歴を、管理ネットワーク１２０を使用してユーザー管理センター端末に登録し、情報提供センター端末は、ＶＩＣＳ送信機等により、情報提供メディア１１０を使用して、ユーザー端末にユーザーから通知された交通情報を通知し、ユーザー端末は、通知された交通情報を画面に表示し、ユーザーからの情報提供により、交通情報を収集する装置が設置されていない道路でも混雑情報を提供できる。【選択図】　　　図１
2004062514.tif 000002
【特許請求の範囲】
【請求項１】
ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成し、
ユーザー端末は、交通情報を受信でき、情報収集センター端末がネットワーク上に提供している提供システムにアクセスし、交通情報を提供し、情報提供センター端末が情報提供メディアを介して同報通知している交通情報を受信し、ユーザー端末の画面に表示し、
ユーザー管理センター端末は、ユーザー端末および情報収集センター端末により使用され、ユーザーの登録・照会・削除・更新を行い、交通情報を提供したユーザーに関して、情報の有効性を更新することにより、ユーザーが提供する交通情報の履歴を記録し、
情報収集センター端末は、ユーザー端末によりアクセスされ、ユーザー端末が提供する情報を受信し、受信した情報から、ユーザー管理センター端末と連携してユーザー認証を行い、情報提供センター端末に交通情報を通知し、
情報提供センター端末は、情報収集センター端末または情報提供センターの操作者により使用され、情報提供メディアを使用してユーザー端末に情報を提供し、
情報提供メディアは、電波、ＦＭ放送等の各種通信手段により構成され、
管理ネットワークは、不特定のユーザーからアクセスされない閉域ネットワークにより構成されていることを特徴とする双方向情報提供型ナビゲーションシステム。
【請求項２】
ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成し、
ユーザー端末は、交通情報を受信でき、情報収集センター端末がネットワーク上に提供している提供システムにアクセスし、住所、道路名、交通状態、提供ユーザー名で構成される交通情報を提供し、情報提供センター端末が情報提供メディアを介して同報通知している交通情報を受信し、ユーザー端末の画面に表示し、
ユーザー管理センター端末は、ユーザー端末および情報収集センター端末により使用され、ユーザーの登録・照会・削除・更新を行い、交通情報を提供したユーザーに関して、回数、情報の有効性を更新することにより、ユーザーが提供する交通情報の履歴を記録し、
情報収集センター端末は、ユーザー端末によりアクセスされ、ユーザー端末が提供する情報を受信し、受信した情報から対象となる住所、道路名、交通状態、ユーザー名を取り出し、ユーザー管理センター端末と連携してユーザー認証を行い、情報提供センター端末に交通情報を通知し、
情報提供センター端末は、情報収集センター端末または情報提供センターの操作者により使用され、情報提供メディアを使用してユーザー端末に情報を提供し、
情報提供メディアは、電波、ＦＭ放送等の各種通信手段により構成され、
管理ネットワークは、不特定のユーザーからアクセスされない閉域ネットワークにより構成されていることを特徴とする双方向情報提供型ナビゲーションシステム。
【請求項３】
ユーザー端末と、ユーザー管理センター端末と、情報収集センター端末と、これらを相互に接続するネットワークと、ユーザー管理センター端末と情報収集センター端末間を接続する管理ネットワークにより構成し、
ユーザー端末は、交通情報を受信でき、情報収集センター端末がネットワーク上に提供している提供システムにアクセスし、交通情報を提供し、交通情報を受信し、ユーザー端末の画面に表示し、
ユーザー管理センター端末は、ユーザー端末および情報収集センター端末により使用され、ユーザーの登録・照会・削除・更新を行い、交通情報を提供したユーザーに関して、情報の有効性を更新することにより、ユーザーが提供する交通情報の履歴を記録し、
情報収集センター端末は、ユーザー端末によりアクセスされ、ユーザー端末が提供する交通情報を受信し、受信した交通情報を保存し、ユーザー端末からの交通情報の取得要求を受信し、ネットワークを使用して交通情報をユーザー端末に通知し、ユーザー端末からの要求受信時に、ユーザー管理センター端末にユーザー認証を要求し、
管理ネットワークは、不特定のユーザーからアクセスされない閉域ネットワークにより構成されていることを特徴とする双方向情報提供型ナビゲーションシステム。
【請求項４】
ユーザー端末と、ユーザー管理センター端末と、情報収集センター端末と、これらを相互に接続するネットワークと、ユーザー管理センター端末と情報収集センター端末間を接続する管理ネットワークにより構成し、
ユーザー端末は、交通情報を受信でき、情報収集センター端末がネットワーク上に提供している提供システムにアクセスし、住所、道路名、交通状態、提供ユーザー名で構成される交通情報を提供し、交通情報を受信し、ユーザー端末の画面に表示し、
ユーザー管理センター端末は、ユーザー端末および情報収集センター端末により使用され、ユーザーの登録・照会・削除・更新を行い、交通情報を提供したユーザーに関して、回数、情報の有効性を更新することにより、ユーザーが提供する交通情報の履歴を記録し、
情報収集センター端末は、ユーザー端末によりアクセスされ、ユーザー端末が提供する交通情報を受信し、受信した交通情報から対象となる住所、道路名、交通状態、ユーザー名を取り出し、交通情報として保存し、ユーザー端末からの交通情報の取得要求を受信し、ネットワークを使用して交通情報をユーザー端末に通知し、ユーザー端末からの要求受信時に、ユーザー管理センター端末にユーザー認証を要求し、
管理ネットワークは、不特定のユーザーからアクセスされない閉域ネットワークにより構成されていることを特徴とする双方向情報提供型ナビゲーションシステム。
【請求項５】
ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、現在位置を交通情報の住所として登録入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
情報収集センター端末は、ユーザー管理センター端末に統計情報を送信後、管理ネットワークを使用して情報提供センター端末に交通情報を通知し、
情報提供センター端末は情報収集センター端末から提供された交通情報を、ユーザーに提供する交通情報として保存し、
情報収集センター端末は、ユーザー端末に対して、ネットワークを使用して、登録成功を通知し、
ユーザー端末は情報提供センター端末が、送信した情報を、交通情報ネットワークを使用して受信し、ユーザー端末の画面に登録失敗または、成功を示す画面を表示し、
情報提供センター端末は、登録した交通情報を元に、交通情報を提供するための情報データを作成し、情報提供メディアを使用して、作成した交通情報データを同報送信し、
ユーザー端末は、情報提供メディアから交通情報データを受信し，ユーザー端末の画面に交通情報として表示することを特徴とする双方向情報提供型ナビゲーション方法。
【請求項６】
ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、ＧＰＳの位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、ユーザー端末の画面に表示されている地図をポインティングデバイスでポイントしたり、キーボードから入力したり、現在位置を自動的に交通情報の住所として登録するボタンにより入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
本統計情報は、交通情報提供に対する貢献度により、ユーザーに対して奨励品の提供を行う材料となり、交通情報の提供を促進させ、
情報収集センター端末は、ユーザー管理センター端末に統計情報を送信後、管理ネットワークを使用して情報提供センター端末に交通情報を通知し、
情報提供センター端末は情報収集センター端末から提供された交通情報を、ユーザーに提供する交通情報として保存し、
情報収集センター端末は、ユーザー端末に対して、ネットワークを使用して、登録成功を通知し、
ユーザー端末は情報提供センター端末が、送信した情報を、交通情報ネットワークを使用して受信し、ユーザー端末の画面に登録失敗または、成功を示す画面を表示し、
情報提供センター端末は、登録した交通情報を元に、交通情報を提供するための情報データを作成し、情報提供メディアを使用して、作成した交通情報データを同報送信し、
ユーザー端末は、情報提供メディアから交通情報データを受信し，ユーザー端末の画面に交通情報として表示することを特徴とする双方向情報提供型ナビゲーション方法。
【請求項７】
ユーザー端末と、ユーザー管理センター端末と、情報収集センター端末と、これらを相互に接続するネットワークと、ユーザー管理センター端末と情報収集センター端末間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、現在位置を交通情報の住所として登録入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
情報収集センター端末は、ユーザー管理センター端末に統計情報を送信後、ユーザー端末に対して、ネットワークを使用して、登録成功を通知し、
ユーザー端末は交通情報を表示したい場合に、情報収集センター端末にネットワークを使用して交通情報要求を送信し、
交通情報要求は、送信元アドレスと送信先アドレス、中継路が制御され、取得したい住所が含まれており、
情報収集センター端末は、ユーザー端末からの交通情報要求を受信すると、すでに作成している交通情報を元に、ユーザー端末に通知する情報を作成し、作成した交通情報をユーザー端末にネットワークを使用して送信し、
ユーザー端末は、交通情報要求を送信後、交通情報を受信するまで待って、情報収集センター端末から通知された交通情報を受信すると、ユーザー端末の画面に、交通情報を表示することを特徴とする双方向情報提供型ナビゲーション方法。
【請求項８】
ユーザー端末と、ユーザー管理センター端末と、情報収集センター端末と、これらを相互に接続するネットワークと、ユーザー管理センター端末と情報収集センター端末間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、ＧＰＳの位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、ユーザー端末の画面に表示されている地図をポインティングデバイスでポイントしたり、キーボードから入力したり、現在位置を自動的に交通情報の住所として登録するボタンにより入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
本統計情報は、交通情報提供に対する貢献度により、ユーザーに対して奨励品の提供を行う材料となり、交通情報の提供を促進させ、
情報収集センター端末は、ユーザー管理センター端末に統計情報を送信後、ユーザー端末に対して、ネットワークを使用して、登録成功を通知し、
ユーザー端末は交通情報を表示したい場合に、情報収集センター端末にネットワークを使用して交通情報要求を送信し、
交通情報要求は、送信元アドレスと送信先アドレス、中継路が制御され、取得したい住所が含まれており、
情報収集センター端末は、ユーザー端末からの交通情報要求を受信すると、すでに作成している交通情報を元に、ユーザー端末に通知する情報を作成し、作成した交通情報をユーザー端末にネットワークを使用して送信し、
ユーザー端末は、交通情報要求を送信後、交通情報を受信するまで待って、情報収集センター端末から通知された交通情報を受信すると、ユーザー端末の画面に、交通情報を表示することを特徴とする双方向情報提供型ナビゲーション方法。
【請求項９】
ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、現在位置を交通情報の住所として登録入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
情報収集センター端末は、ユーザー管理センター端末に統計情報を送信後、管理ネットワークを使用して情報提供センター端末に交通情報を通知し、
情報提供センター端末は情報収集センター端末から提供された交通情報を、ユーザーに提供する交通情報として保存し、
情報収集センター端末は、ユーザー端末に対して、ネットワークを使用して、登録成功を通知し、
ユーザー端末は情報提供センター端末が、送信した情報を、交通情報ネットワークを使用して受信し、ユーザー端末の画面に登録失敗または、成功を示す画面を表示し、
情報提供センター端末は、登録した交通情報を元に、交通情報を提供するための情報データを作成し、情報提供メディアを使用して、作成した交通情報データを同報送信し、
ユーザー端末は、情報提供メディアから交通情報データを受信し，ユーザー端末の画面に交通情報として表示する処理をコンピュータに実行させるためのプログラム。
【請求項１０】
ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、ＧＰＳの位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、ユーザー端末の画面に表示されている地図をポインティングデバイスでポイントしたり、キーボードから入力したり、現在位置を自動的に交通情報の住所として登録するボタンにより入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
本統計情報は、交通情報提供に対する貢献度により、ユーザーに対して奨励品の提供を行う材料となり、交通情報の提供を促進させ、
情報収集センター端末は、ユーザー管理センター端末に統計情報を送信後、管理ネットワークを使用して情報提供センター端末に交通情報を通知し、
情報提供センター端末は情報収集センター端末から提供された交通情報を、ユーザーに提供する交通情報として保存し、
情報収集センター端末は、ユーザー端末に対して、ネットワークを使用して、登録成功を通知し、
ユーザー端末は情報提供センター端末が、送信した情報を、交通情報ネットワークを使用して受信し、ユーザー端末の画面に登録失敗または、成功を示す画面を表示し、
情報提供センター端末は、登録した交通情報を元に、交通情報を提供するための情報データを作成し、情報提供メディアを使用して、作成した交通情報データを同報送信し、
ユーザー端末は、情報提供メディアから交通情報データを受信し，ユーザー端末の画面に交通情報として表示する処理をコンピュータに実行させるためのプログラム。
【請求項１１】
ユーザー端末と、ユーザー管理センター端末と、情報収集センター端末と、これらを相互に接続するネットワークと、ユーザー管理センター端末と情報収集センター端末間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、現在位置を交通情報の住所として登録入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
情報収集センター端末は、ユーザー管理センター端末に統計情報を送信後、ユーザー端末に対して、ネットワークを使用して、登録成功を通知し、
ユーザー端末は交通情報を表示したい場合に、情報収集センター端末にネットワークを使用して交通情報要求を送信し、
交通情報要求は、送信元アドレスと送信先アドレス、中継路が制御され、取得したい住所が含まれており、
情報収集センター端末は、ユーザー端末からの交通情報要求を受信すると、すでに作成している交通情報を元に、ユーザー端末に通知する情報を作成し、作成した交通情報をユーザー端末にネットワークを使用して送信し、
ユーザー端末は、交通情報要求を送信後、交通情報を受信するまで待って、情報収集センター端末から通知された交通情報を受信すると、ユーザー端末の画面に、交通情報を表示する処理をコンピュータに実行させるためのプログラム。
【請求項１２】
ユーザー端末と、ユーザー管理センター端末と、情報収集センター端末と、これらを相互に接続するネットワークと、ユーザー管理センター端末と情報収集センター端末間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、ＧＰＳの位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、ユーザー端末の画面に表示されている地図をポインティングデバイスでポイントしたり、キーボードから入力したり、現在位置を自動的に交通情報の住所として登録するボタンにより入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
本統計情報は、交通情報提供に対する貢献度により、ユーザーに対して奨励品の提供を行う材料となり、交通情報の提供を促進させ、
情報収集センター端末は、ユーザー管理センター端末に統計情報を送信後、ユーザー端末に対して、ネットワークを使用して、登録成功を通知し、
ユーザー端末は交通情報を表示したい場合に、情報収集センター端末にネットワークを使用して交通情報要求を送信し、
交通情報要求は、送信元アドレスと送信先アドレス、中継路が制御され、取得したい住所が含まれており、
情報収集センター端末は、ユーザー端末からの交通情報要求を受信すると、すでに作成している交通情報を元に、ユーザー端末に通知する情報を作成し、作成した交通情報をユーザー端末にネットワークを使用して送信し、
ユーザー端末は、交通情報要求を送信後、交通情報を受信するまで待って、情報収集センター端末から通知された交通情報を受信すると、ユーザー端末の画面に、交通情報を表示する処理をコンピュータに実行させるためのプログラム。
【発明の詳細な説明】
【０００１】
【発明の属する技術分野】
本発明は双方向情報提供型ナビゲーションシステムと方法に関し、特に自動車および携帯端末等に設置してＶＩＣＳ受信機等により交通情報を表示するナビゲーションシステムにおいて、サービス提供者がユーザーに交通情報を提供するだけでなく、ユーザーからも交通情報を収集し、収集した交通情報を再配布することで、きめ細かい交通情報提供を可能にする双方向情報提供型ナビゲーションシステムと方法に関する。
【０００２】
【従来の技術】
従来、ナビゲーションシステムにおいて、交通情報をナビゲーションシステムの利用者から提供する方法は存在しなかった。
【０００３】
また、交通情報を監視する装置が設置されている主要な道路や、交通情報を監視している道路に関しては、交通情報が提供されているが、幹線でない道路に関しては交通情報が提供されなかった。
【０００４】
このため、ＶＩＣＳおよびナビゲーションシステムにより提供される交通情報の範囲を向上させることが難しかった。
【０００５】
【発明が解決しようとする課題】
上述した従来のナビゲーションシステムと方法は、
第１の問題点は、交通情報を収集する装置が設置されていない道路の混雑情報を得ることはできなかった。
【０００６】
その理由は、交通情報をナビゲーションシステムの利用者から提供する方法は存在しなかったからである。
【０００７】
第２の問題点は、幹線でない道路に関しては交通情報が提供されなかった。
【０００８】
その理由は、交通情報が提供されている道路は、交通情報を監視する装置が設置されている主要な道路や、交通情報を監視している道路に限られていたからである。
【０００９】
本発明の目的は、自動車および携帯端末等に設置してＶＩＣＳ受信機等により交通情報を表示するナビゲーションシステムにおいて、サービス提供者がユーザーに交通情報を提供するだけでなく、ユーザーからも交通情報を収集し、収集した交通情報を再配布することで、きめ細かい交通情報提供を可能にする双方向情報提供型ナビゲーションシステムと方法を提供することにある。
【００１０】
【課題を解決するための手段】
第１の発明の双方向情報提供型ナビゲーションシステムは、ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成し、
ユーザー端末は、交通情報を受信でき、情報収集センター端末がネットワーク上に提供している提供システムにアクセスし、交通情報を提供し、情報提供センター端末が情報提供メディアを介して同報通知している交通情報を受信し、ユーザー端末の画面に表示し、
ユーザー管理センター端末は、ユーザー端末および情報収集センター端末により使用され、ユーザーの登録・照会・削除・更新を行い、交通情報を提供したユーザーに関して、情報の有効性を更新することにより、ユーザーが提供する交通情報の履歴を記録し、
情報収集センター端末は、ユーザー端末によりアクセスされ、ユーザー端末が提供する情報を受信し、受信した情報から、ユーザー管理センター端末と連携してユーザー認証を行い、情報提供センター端末に交通情報を通知し、
情報提供センター端末は、情報収集センター端末または情報提供センターの操作者により使用され、情報提供メディアを使用してユーザー端末に情報を提供し、
情報提供メディアは、電波、ＦＭ放送等の各種通信手段により構成され、
管理ネットワークは、不特定のユーザーからアクセスされない閉域ネットワークにより構成されている。
【００１１】
第２の発明の双方向情報提供型ナビゲーションシステムは、ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成し、
ユーザー端末は、交通情報を受信でき、情報収集センター端末がネットワーク上に提供している提供システムにアクセスし、住所、道路名、交通状態、提供ユーザー名で構成される交通情報を提供し、情報提供センター端末が情報提供メディアを介して同報通知している交通情報を受信し、ユーザー端末の画面に表示し、
ユーザー管理センター端末は、ユーザー端末および情報収集センター端末により使用され、ユーザーの登録・照会・削除・更新を行い、交通情報を提供したユーザーに関して、回数、情報の有効性を更新することにより、ユーザーが提供する交通情報の履歴を記録し、
情報収集センター端末は、ユーザー端末によりアクセスされ、ユーザー端末が提供する情報を受信し、受信した情報から対象となる住所、道路名、交通状態、ユーザー名を取り出し、ユーザー管理センター端末と連携してユーザー認証を行い、情報提供センター端末に交通情報を通知し、
情報提供センター端末は、情報収集センター端末または情報提供センターの操作者により使用され、情報提供メディアを使用してユーザー端末に情報を提供し、
情報提供メディアは、電波、ＦＭ放送等の各種通信手段により構成され、
管理ネットワークは、不特定のユーザーからアクセスされない閉域ネットワークにより構成されている。
【００１２】
第３の発明の双方向情報提供型ナビゲーションシステムは、ユーザー端末と、ユーザー管理センター端末と、情報収集センター端末と、これらを相互に接続するネットワークと、ユーザー管理センター端末と情報収集センター端末間を接続する管理ネットワークにより構成し、
ユーザー端末は、交通情報を受信でき、情報収集センター端末がネットワーク上に提供している提供システムにアクセスし、交通情報を提供し、交通情報を受信し、ユーザー端末の画面に表示し、
ユーザー管理センター端末は、ユーザー端末および情報収集センター端末により使用され、ユーザーの登録・照会・削除・更新を行い、交通情報を提供したユーザーに関して、情報の有効性を更新することにより、ユーザーが提供する交通情報の履歴を記録し、
情報収集センター端末は、ユーザー端末によりアクセスされ、ユーザー端末が提供する交通情報を受信し、受信した交通情報を保存し、ユーザー端末からの交通情報の取得要求を受信し、ネットワークを使用して交通情報をユーザー端末に通知し、ユーザー端末からの要求受信時に、ユーザー管理センター端末にユーザー認証を要求し、
管理ネットワークは、不特定のユーザーからアクセスされない閉域ネットワークにより構成されている。
【００１３】
第４の発明の双方向情報提供型ナビゲーションシステムは、ユーザー端末と、ユーザー管理センター端末と、情報収集センター端末と、これらを相互に接続するネットワークと、ユーザー管理センター端末と情報収集センター端末間を接続する管理ネットワークにより構成し、
ユーザー端末は、交通情報を受信でき、情報収集センター端末がネットワーク上に提供している提供システムにアクセスし、住所、道路名、交通状態、提供ユーザー名で構成される交通情報を提供し、交通情報を受信し、ユーザー端末の画面に表示し、
ユーザー管理センター端末は、ユーザー端末および情報収集センター端末により使用され、ユーザーの登録・照会・削除・更新を行い、交通情報を提供したユーザーに関して、回数、情報の有効性を更新することにより、ユーザーが提供する交通情報の履歴を記録し、
情報収集センター端末は、ユーザー端末によりアクセスされ、ユーザー端末が提供する交通情報を受信し、受信した交通情報から対象となる住所、道路名、交通状態、ユーザー名を取り出し、交通情報として保存し、ユーザー端末からの交通情報の取得要求を受信し、ネットワークを使用して交通情報をユーザー端末に通知し、ユーザー端末からの要求受信時に、ユーザー管理センター端末にユーザー認証を要求し、
管理ネットワークは、不特定のユーザーからアクセスされない閉域ネットワークにより構成されている。
【００１４】
第５の発明の双方向情報提供型ナビゲーション方法は、ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、現在位置を交通情報の住所として登録入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
情報収集センター端末は、ユーザー管理センター端末に統計情報を送信後、管理ネットワークを使用して情報提供センター端末に交通情報を通知し、
情報提供センター端末は情報収集センター端末から提供された交通情報を、ユーザーに提供する交通情報として保存し、
情報収集センター端末は、ユーザー端末に対して、ネットワークを使用して、登録成功を通知し、
ユーザー端末は情報提供センター端末が、送信した情報を、交通情報ネットワークを使用して受信し、ユーザー端末の画面に登録失敗または、成功を示す画面を表示し、
情報提供センター端末は、登録した交通情報を元に、交通情報を提供するための情報データを作成し、情報提供メディアを使用して、作成した交通情報データを同報送信し、
ユーザー端末は、情報提供メディアから交通情報データを受信し，ユーザー端末の画面に交通情報として表示する。
【００１５】
第６の発明の双方向情報提供型ナビゲーション方法は、ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、ＧＰＳの位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、ユーザー端末の画面に表示されている地図をポインティングデバイスでポイントしたり、キーボードから入力したり、現在位置を自動的に交通情報の住所として登録するボタンにより入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
本統計情報は、交通情報提供に対する貢献度により、ユーザーに対して奨励品の提供を行う材料となり、交通情報の提供を促進させ、
情報収集センター端末は、ユーザー管理センター端末に統計情報を送信後、管理ネットワークを使用して情報提供センター端末に交通情報を通知し、
情報提供センター端末は情報収集センター端末から提供された交通情報を、ユーザーに提供する交通情報として保存し、
情報収集センター端末は、ユーザー端末に対して、ネットワークを使用して、登録成功を通知し、
ユーザー端末は情報提供センター端末が、送信した情報を、交通情報ネットワークを使用して受信し、ユーザー端末の画面に登録失敗または、成功を示す画面を表示し、
情報提供センター端末は、登録した交通情報を元に、交通情報を提供するための情報データを作成し、情報提供メディアを使用して、作成した交通情報データを同報送信し、
ユーザー端末は、情報提供メディアから交通情報データを受信し，ユーザー端末の画面に交通情報として表示する。
【００１６】
第７の発明の双方向情報提供型ナビゲーション方法は、ユーザー端末と、ユーザー管理センター端末と、情報収集センター端末と、これらを相互に接続するネットワークと、ユーザー管理センター端末と情報収集センター端末間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、現在位置を交通情報の住所として登録入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
情報収集センター端末は、ユーザー管理センター端末に統計情報を送信後、ユーザー端末に対して、ネットワークを使用して、登録成功を通知し、
ユーザー端末は交通情報を表示したい場合に、情報収集センター端末にネットワークを使用して交通情報要求を送信し、
交通情報要求は、送信元アドレスと送信先アドレス、中継路が制御され、取得したい住所が含まれており、
情報収集センター端末は、ユーザー端末からの交通情報要求を受信すると、すでに作成している交通情報を元に、ユーザー端末に通知する情報を作成し、作成した交通情報をユーザー端末にネットワークを使用して送信し、
ユーザー端末は、交通情報要求を送信後、交通情報を受信するまで待って、情報収集センター端末から通知された交通情報を受信すると、ユーザー端末の画面に、交通情報を表示する。
【００１７】
第８の発明の双方向情報提供型ナビゲーション方法は、ユーザー端末と、ユーザー管理センター端末と、情報収集センター端末と、これらを相互に接続するネットワークと、ユーザー管理センター端末と情報収集センター端末間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、ＧＰＳの位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、ユーザー端末の画面に表示されている地図をポインティングデバイスでポイントしたり、キーボードから入力したり、現在位置を自動的に交通情報の住所として登録するボタンにより入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
本統計情報は、交通情報提供に対する貢献度により、ユーザーに対して奨励品の提供を行う材料となり、交通情報の提供を促進させ、
情報収集センター端末は、ユーザー管理センター端末に統計情報を送信後、ユーザー端末に対して、ネットワークを使用して、登録成功を通知し、
ユーザー端末は交通情報を表示したい場合に、情報収集センター端末にネットワークを使用して交通情報要求を送信し、
交通情報要求は、送信元アドレスと送信先アドレス、中継路が制御され、取得したい住所が含まれており、
情報収集センター端末は、ユーザー端末からの交通情報要求を受信すると、すでに作成している交通情報を元に、ユーザー端末に通知する情報を作成し、作成した交通情報をユーザー端末にネットワークを使用して送信し、
ユーザー端末は、交通情報要求を送信後、交通情報を受信するまで待って、情報収集センター端末から通知された交通情報を受信すると、ユーザー端末の画面に、交通情報を表示する。
【００１８】
第９の発明のプログラムは、ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、現在位置を交通情報の住所として登録入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
情報収集センター端末は、ユーザー管理センター端末に統計情報を送信後、管理ネットワークを使用して情報提供センター端末に交通情報を通知し、
情報提供センター端末は情報収集センター端末から提供された交通情報を、ユーザーに提供する交通情報として保存し、
情報収集センター端末は、ユーザー端末に対して、ネットワークを使用して、登録成功を通知し、
ユーザー端末は情報提供センター端末が、送信した情報を、交通情報ネットワークを使用して受信し、ユーザー端末の画面に登録失敗または、成功を示す画面を表示し、
情報提供センター端末は、登録した交通情報を元に、交通情報を提供するための情報データを作成し、情報提供メディアを使用して、作成した交通情報データを同報送信し、
ユーザー端末は、情報提供メディアから交通情報データを受信し，ユーザー端末の画面に交通情報として表示する処理をコンピュータに実行させる。
【００１９】
第１０の発明のプログラムは、ユーザー端末と、ユーザー管理センター端末と、情報収集センター端末と、情報提供センター端末と、これらを相互に接続するネットワークと、情報提供センター端末からユーザー端末に送信する情報提供メディアと、ユーザー管理センター端末、情報収集センター端末、および情報提供センター端末の各センター間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、ＧＰＳの位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、ユーザー端末の画面に表示されている地図をポインティングデバイスでポイントしたり、キーボードから入力したり、現在位置を自動的に交通情報の住所として登録するボタンにより入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
本統計情報は、交通情報提供に対する貢献度により、ユーザーに対して奨励品の提供を行う材料となり、交通情報の提供を促進させ、
情報収集センター端末は、ユーザー管理センター端末に統計情報を送信後、管理ネットワークを使用して情報提供センター端末に交通情報を通知し、
情報提供センター端末は情報収集センター端末から提供された交通情報を、ユーザーに提供する交通情報として保存し、
情報収集センター端末は、ユーザー端末に対して、ネットワークを使用して、登録成功を通知し、
ユーザー端末は情報提供センター端末が、送信した情報を、交通情報ネットワークを使用して受信し、ユーザー端末の画面に登録失敗または、成功を示す画面を表示し、
情報提供センター端末は、登録した交通情報を元に、交通情報を提供するための情報データを作成し、情報提供メディアを使用して、作成した交通情報データを同報送信し、
ユーザー端末は、情報提供メディアから交通情報データを受信し，ユーザー端末の画面に交通情報として表示する処理をコンピュータに実行させる。
【００２０】
第１１の発明のプログラムは、ユーザー端末と、ユーザー管理センター端末と、情報収集センター端末と、これらを相互に接続するネットワークと、ユーザー管理センター端末と情報収集センター端末間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、現在位置を交通情報の住所として登録入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
情報収集センター端末は、ユーザー管理センター端末に統計情報を送信後、ユーザー端末に対して、ネットワークを使用して、登録成功を通知し、
ユーザー端末は交通情報を表示したい場合に、情報収集センター端末にネットワークを使用して交通情報要求を送信し、
交通情報要求は、送信元アドレスと送信先アドレス、中継路が制御され、取得したい住所が含まれており、
情報収集センター端末は、ユーザー端末からの交通情報要求を受信すると、すでに作成している交通情報を元に、ユーザー端末に通知する情報を作成し、作成した交通情報をユーザー端末にネットワークを使用して送信し、
ユーザー端末は、交通情報要求を送信後、交通情報を受信するまで待って、情報収集センター端末から通知された交通情報を受信すると、ユーザー端末の画面に、交通情報を表示する処理をコンピュータに実行させる。
【００２１】
第１２の発明のプログラムは、ユーザー端末と、ユーザー管理センター端末と、情報収集センター端末と、これらを相互に接続するネットワークと、ユーザー管理センター端末と情報収集センター端末間を接続する管理ネットワークにより構成したシステムで、
ユーザー端末は、ユーザー認証用のユーザー名とパスワードを登録するために、ユーザー管理センター端末に、ネットワークを使用して、ユーザー名とパスワードを送出し、
ユーザー管理センター端末は、ユーザー名とパスワードの登録データを受信すると、すでに登録済みのユーザー名か確認し、
すでに登録済みであれば、登録失敗を通知し、誰も使用していない場合は、ユーザー名とパスワードを登録し、
登録完了後、ユーザー管理センター端末は、登録完了通知を、交通情報ネットワークを使用して、ユーザー端末に送出し、
ユーザー端末は、ユーザー管理センター端末から登録失敗を受信した場合、新たなユーザー名を検討して、再度実行し、
また、登録完了通知をユーザー端末がユーザー管理センター端末から受信した場合、登録成功を示す情報をユーザー端末の画面に表示し、
ユーザー端末は、ユーザー端末が保有する地図情報データベースと、ＧＰＳの位置情報を元に画面に地図情報を表示し、
ユーザー端末のユーザーは、ユーザー端末の画面に交通情報が表示されていない場所で交通渋滞に遭遇した場合、または、渋滞や通行止めになると予想される交通情報を検出した場合、ユーザー端末により交通情報を入力し、
交通情報は、ユーザー端末の画面に表示されている地図をポインティングデバイスでポイントしたり、キーボードから入力したり、現在位置を自動的に交通情報の住所として登録するボタンにより入力し、
ユーザー端末は入力された情報を情報収集センター端末にネットワークを介して送信し、
情報収集センター端末は、ユーザー端末から受信した情報を元に、送信者が情報提供者として登録されているか確認するため、ユーザー管理センター端末に管理ネットワークを使用してユーザー情報を送信し、ユーザー認証を行い、
ユーザー管理センター端末はユーザー認証の要求を受信し、すでに登録されているユーザーか確認を行い、
ユーザー管理センター端末は認証結果を、管理ネットワークを使用して情報収集センター端末に送信し、
情報収集センター端末は、ユーザー認証結果をユーザー管理センター端末から受信し、情報提供者として登録されていないと判明した場合、ネットワークを使用して認証失敗通知をユーザー端末に送信し、
認証に成功した場合、ユーザー端末から通知された交通情報を、情報収集センター端末が管理するデータベースに保存し、
情報収集センター端末は情報を提供したユーザーの情報を統計情報として記録するために、管理ネットワークを使用してユーザー管理センター端末に、ユーザー統計情報の記録依頼を送信し、送信する内容は、ユーザー名、提供日時、交通情報が示す住所であり、
ユーザー管理センター端末は、情報収集センター端末から通知されたユーザー統計情報を元に、該当するユーザーの統計情報を更新し、
本統計情報は、交通情報提供に対する貢献度により、ユーザーに対して奨励品の提供を行う材料となり、交通情報の提供を促進させ、
情報収集センター端末は、ユーザー管理センター端末に統計情報を送信後、ユーザー端末に対して、ネットワークを使用して、登録成功を通知し、
ユーザー端末は交通情報を表示したい場合に、情報収集センター端末にネットワークを使用して交通情報要求を送信し、
交通情報要求は、送信元アドレスと送信先アドレス、中継路が制御され、取得したい住所が含まれており、
情報収集センター端末は、ユーザー端末からの交通情報要求を受信すると、すでに作成している交通情報を元に、ユーザー端末に通知する情報を作成し、作成した交通情報をユーザー端末にネットワークを使用して送信し、
ユーザー端末は、交通情報要求を送信後、交通情報を受信するまで待って、情報収集センター端末から通知された交通情報を受信すると、ユーザー端末の画面に、交通情報を表示する処理をコンピュータに実行させる。
【００２２】
【発明の実施の形態】
本発明は、自動車および携帯端末等に設置してＶＩＣＳ受信機等により交通情報を表示するナビゲーションシステムにおいて、サービス提供者がユーザーに交通情報を提供するだけでなく、ユーザーからも交通情報を収集し、収集した交通情報を再配布することで、きめ細かい交通情報提供を可能にする交通情報提供ビジネスの方法を提供するものである。ここで、交通情報とは、渋滞情報や、工事等による渋滞予測、道路閉鎖の情報を示す。
【００２３】
次に、本発明の実施の形態について図面を参照して説明する。
【００２４】
図１は本発明の第１の実施の形態の双方向情報提供型ナビゲーションシステムと方法の一実施の形態を示す構成図である。
【００２５】
本発明の第１の実施の形態は、図１に示すように、ユーザー端末１０と、ユーザー管理センター端末２０と、情報収集センター端末３０と、情報提供センター端末４０と、これらを相互に接続するインターネット等の交通情報ネットワーク１００と、情報提供センター端末４０からユーザー端末１０に送信するＦＭ放送、電波等の情報提供メディア１１０と、ユーザー管理センター端末２０情報収集センター端末３０情報提供センター端末４０の各センター間を接続する管理ネットワーク１２０により構成されている。
【００２６】
ユーザー端末１０は、ＶＩＣＳ受信機等により交通情報を受信できるナビゲーションシステム専用端末、携帯電話、携帯端末等の情報処理装置である。ユーザー端末１０は、情報収集センター端末３０が交通情報ネットワーク１００上に提供している提供システムにアクセスし、交通情報を提供する機能を備えている。交通情報は、住所、道路名、交通状態、提供ユーザー名で構成される。ユーザー端末１０は、さらに、情報提供センター端末４０が情報提供メディア１１０を介して同報通知している交通情報をＶＩＣＳ受信機等により受信し、ユーザー端末１０の画面に表示する機能を有している。
【００２７】
ユーザー管理センター端末２０は、ユーザー端末１０および情報収集センター端末３０により使用され、ユーザーの登録・照会・削除・更新を行う。ユーザー管理センター端末２０は、交通情報を提供したユーザーに関して、回数、情報の有効性を更新することにより、ユーザーが提供する交通情報の履歴を記録する機能を持っている。
【００２８】
情報収集センター端末３０は、ユーザー端末１０によりアクセスされ、ユーザー端末１０が提供する情報を受信する機能を備えている。さらに受信した情報から対象となる住所、道路名、交通状態、ユーザー名を取り出し、ユーザー管理センター端末２０と連携してユーザー認証を行う機能および、情報提供センター端末４０に交通情報を通知する機能を持っている。
【００２９】
情報提供センター端末４０は、情報収集センター端末３０または情報提供センターの操作者により使用され、情報提供メディア１１０を使用してユーザー端末１０に情報を提供する機能を持っている。ユーザー端末１０への情報提供は常に行われている。
【００３０】
情報提供メディア１１０は、電波、ＦＭ放送等の各種通信手段により構成される。
【００３１】
管理ネットワーク１２０は、ＶＰＮ（Ｖｉｒｔｕａｌ　Ｐｒｉｖａｔｅ　Ｎｅｔｗｏｒｋ）、専用線等の不特定のユーザーからアクセスされない閉域ネットワークにより構成される。
【００３２】
図１において、本システムを利用するユーザーは、事前にユーザー端末１０によりユーザー管理センター端末２０にアクセスし、ユーザー登録を実施しておく。
【００３３】
本システムのユーザーが交通渋滞に遭遇した場合、または、工事等により交通渋滞や道路閉鎖を予測できた場合、ユーザーはユーザー端末１０により、交通情報ネットワーク１００を使用して情報収集センター端末３０にアクセスし、交通情報を通知する。
【００３４】
情報収集センター端末３０は、管理ネットワーク１２０を使用してユーザー管理センター端末２０にアクセスし、事前に登録されているユーザーか調べ、情報提供可能なユーザーの場合、管理ネットワーク１２０を使用して、交通情報を情報提供センター端末４０に通知する。
【００３５】
情報収集センター端末３０は、ユーザーが提供した交通情報の履歴を、管理ネットワーク１２０を使用してユーザー管理センター端末２０に登録する。
【００３６】
情報提供センター端末４０は、ＶＩＣＳ送信機等により、情報提供メディア１１０を使用して、ユーザー端末１０にユーザーから通知された交通情報を通知する。
【００３７】
ユーザー端末１０は、通知された交通情報を画面に表示する。これにより、混雑情報を自動的に収集する装置が設定されている主要道路に限られていた交通情報が、ユーザーからの情報提供により、交通情報を収集する装置が設置されていない道路でも混雑情報を提供することができる。
【００３８】
次に、本発明の第１の実施の形態の動作について、図１、図２、図３、および図４を参照して詳細に説明する。
【００３９】
図２は本発明の第１の実施の形態の双方向情報提供型ナビゲーションシステムと方法のシステムへユーザー登録する動作を示す流れ図である。
【００４０】
図３は本発明の第１の実施の形態の双方向情報提供型ナビゲーションシステムと方法のユーザーが交通情報をシステムへ提供する動作を示す流れ図である。
【００４１】
図４は本発明の第１の実施の形態の双方向情報提供型ナビゲーションシステムと方法のユーザーが交通情報をシステムから提供される動作を示す流れ図である。
【００４２】
なお、以降の説明では、交通情報ネットワーク１００はインターネットであり、情報提供メディア１１０はＦＭ放送、電波等のすでに存在するＶＩＣＳ受信機および車載ナビゲーションシステムに交通情報を提供するメディアであり、管理ネットワーク１２０はインターネット上のＶＰＮとする。
【００４３】
図２を参照すると、ユーザー端末１０は、本システムに参加するためのユーザー認証用のユーザー名とパスワードを登録するために、ユーザー管理センター端末２０に、交通情報ネットワーク１００を使用して、ユーザー名とパスワードを送出する（ステップＡ１）。
【００４４】
ユーザー管理センター端末２０は、ユーザー名とパスワードの登録データを受信すると、すでに登録済みのユーザー名か確認する（ステップＡ２）。
【００４５】
すでに登録済みであれば（ステップＡ３）、登録失敗を通知し（ステップＡ４）、誰も使用していない場合は、ユーザー名とパスワードを登録する（ステップＡ５）。
【００４６】
登録完了後、ユーザー管理センター端末２０は、登録完了通知を、交通情報ネットワーク１００を使用して、ユーザー端末１０に送出する（ステップＡ６）。
【００４７】
ユーザー端末１０は、ユーザー管理センター端末２０から登録失敗を受信した場合、新たなユーザー名を検討して、ステップＡ１から再度実行する。
【００４８】
また、登録完了通知をユーザー端末１０がユーザー管理センター端末２０から受信した場合、登録成功を示す情報をユーザー端末１０の画面に表示する（ステップＡ７）。
【００４９】
図３を参照すると、ユーザー端末１０は、ユーザー端末１０が保有する地図情報データベースと、ＧＰＳ等の位置情報を元に画面に地図情報を表示する。（ステップＢ１）。
【００５０】
ユーザー端末１０のユーザーは、ユーザー端末１０の画面に交通情報が表示されていない場所で交通渋滞に遭遇した場合、または、渋滞や通行止めになると予想される交通情報を検出した場合、ユーザー端末１０により交通情報を入力する（ステップＢ２）。
【００５１】
交通情報は、ユーザー端末１０の画面に表示されている地図をポインティングデバイス等でポイントしたり、キーボードから入力したり、現在位置を自動的に交通情報の住所として登録するボタン等により入力する。ユーザー端末１０は入力された情報を情報収集センター端末３０に交通情報ネットワーク１００を介して送信する（ステップＢ３）。
【００５２】
情報収集センター端末３０は、ユーザー端末１０から受信した情報を元に、送信者が情報提供者として登録されているか確認するため、ユーザー管理センター端末２０に管理ネットワーク１２０を使用してユーザー情報を送信し、ユーザー認証を行う（ステップＢ４）。
【００５３】
ユーザー管理センター端末２０はユーザー認証の要求を受信し、すでに登録されているユーザーか確認を行う（ステップＢ５）。
【００５４】
ユーザー管理センター端末２０は認証結果を、管理ネットワーク１２０を使用して情報収集センター端末３０に送信する（ステップＢ６）。
【００５５】
情報収集センター端末３０は、ユーザー認証結果をユーザー管理センター端末２０から受信し、情報提供者として登録されていないと判明した場合（ユーザー認証失敗）、交通情報ネットワーク１００を使用して認証失敗通知をユーザー端末１０に送信する（ステップＢ７）。
【００５６】
認証に成功した場合、ユーザー端末１０から通知された交通情報を、情報収集センター端末３０が管理するデータベースに保存する（ステップＢ８）。
【００５７】
情報収集センター端末３０は情報を提供したユーザーの情報を統計情報として記録するために、管理ネットワーク１２０を使用してユーザー管理センター端末２０に、ユーザー統計情報の記録依頼を送信する（ステップＢ９）。送信する内容は、ユーザー名、提供日時、交通情報が示す住所である。
【００５８】
ユーザー管理センター端末２０は、情報収集センター端末３０から通知されたユーザー統計情報を元に、該当するユーザーの統計情報を更新する（ステップＢ１０）。
【００５９】
本統計情報は、交通情報提供に対する貢献度により、ユーザーに対して奨励品等の提供を行う材料となり、これにより、交通情報の提供を促進させることが可能となる。
【００６０】
情報収集センター端末３０は、ユーザー管理センター端末２０に統計情報をステップＢ９で送信後、管理ネットワーク１２０を使用して情報提供センター端末４０に交通情報を通知する（ステップＢ１１）。
【００６１】
情報提供センター端末４０は情報収集センター端末３０から提供された交通情報を、ユーザーに提供する交通情報として保存する（ステップＢ１２）。
【００６２】
情報収集センター端末３０は、ステップＢ１１の後、ユーザー端末１０に対して、交通情報ネットワーク１００を使用して、登録成功を通知する（ステップＢ１３）。
【００６３】
ユーザー端末１０は情報提供センター端末４０が、ステップＢ７またはステップＢ１３で送信した情報を、交通情報ネットワーク１００を使用して受信し、ユーザー端末１０の画面に登録失敗または、成功を示す画面を表示する（ステップＢ１４）。
【００６４】
図４を参照すると、情報提供センター端末４０は、図３のステップＢ１２で登録した交通情報を元に、交通情報を提供するための情報データを作成し（ステップＣ１）、情報提供メディア１１０を使用して、作成した交通情報データをＶＩＣＳ送信装置等により同報送信する（ステップＣ２）。
【００６５】
ユーザー端末１０は、情報提供メディア１１０からＶＩＣＳ受信機等により交通情報データを受信し（ステップＣ３），ユーザー端末１０の画面に交通情報として表示する（ステップＣ４）。
【００６６】
表示する方法は、画面に表示している地図上に図で示す方法や、文字で表示する方法等を使用可能である。
【００６７】
次に、本発明の第２の実施の形態について、図５を参照して詳細に説明する。
【００６８】
図５は本発明の第２の実施の形態の双方向情報提供型ナビゲーションシステムと方法の一実施の形態を示す構成図である。
【００６９】
本発明の第２の実施の形態は、図５に示すように、本発明の第１の実施の形態の基本的構成の一部を省略し、ユーザー端末２１０が交通情報を収集する方式について、インターネット等の公衆ネットワークである交通情報ネットワーク３００を経由して、情報収集センター端末２３０から交通情報を取得するように工夫している。
【００７０】
また、交通情報ネットワーク３００上の通信負荷を減らすため、交通情報を同報通知せずに、ユーザー端末２１０からの要求に従って通知するように工夫している。
【００７１】
ユーザー端末２１０は、パーソナルコンピューター、携帯電話等の、ナビゲーションシステムを組み込んだ情報処理装置である。ユーザー端末２１０は、情報収集センター端末２３０に対して、交通情報ネットワーク３００を使用して道路情報を提供する機能、および交通情報を受信する機能を備えている。
【００７２】
ユーザー管理センター端末２２０は、ユーザー端末２１０および情報収集センター端末２３０により使用され、ユーザーの登録・紹介・削除・更新を行う。
【００７３】
ユーザー管理センター端末２２０は、情報を提供したユーザーに関して、回数、情報の有効性を更新することにより、ユーザーが提供する情報の履歴を記録する機能を持っている。
【００７４】
情報収集センター端末２３０は、ユーザー端末２１０によりアクセスされ、ユーザー端末２１０が提供する交通情報を受信する機能を備えている。さらに受信した交通情報から対象となる住所、状態、発信者を取り出し、交通情報として保存する。さらに、ユーザー端末２１０からの交通情報の取得要求を受信し、交通情報ネットワーク３００を使用して交通情報をユーザー端末２１０に通知する機能を持っている。また、ユーザー端末２１０からの要求受信時に、ユーザー管理センター端末２２０にユーザー認証を要求する機能も持っている。
【００７５】
交通情報ネットワーク３００はインターネットである。
【００７６】
管理ネットワーク３１０は、ＶＰＮ（Ｖｉｒｔｕａｌ　Ｐｒｉｖａｔｅ　Ｎｅｔｗｏｒｋ）であり、ユーザー端末２１０からアクセスできないようになっている。
【００７７】
次に、本発明の第２の実施の形態の動作について、図５および図６を参照して詳細に説明する。
【００７８】
図６は本発明の第２の実施の形態の双方向情報提供型ナビゲーションシステムと方法のユーザーが交通情報をシステムへ提供する動作とシステムから提供される動作を示す流れ図である。
【００７９】
交通情報をユーザー端末２１０が画面に表示するための方法が示されている。ユーザー端末２１０が、交通情報を情報収集センター端末２３０に提供する方法は、すでに第１の実施の形態の図３を使用して説明したとおりである。
【００８０】
ユーザー端末２１０は交通情報を表示したい場合に、情報収集センター端末２３０に交通情報ネットワーク３００を使用して交通情報要求を送信する（ステップＤ１）。
【００８１】
交通情報要求は、ＴＣＰ／ＩＰのプロトコルにより送信元アドレスと送信先アドレス、中継路が制御され、取得したい住所が含まれている。
【００８２】
情報収集センター端末２３０は、ユーザー端末２１０からの交通情報要求を受信すると、図３のステップＢ８ですでに作成している交通情報を元に、ユーザー端末２１０に通知する情報を作成し（ステップＤ２）、作成した交通情報をユーザー端末２１０に交通情報ネットワーク３００を使用して送信する（ステップＤ３）。
【００８３】
ユーザー端末２１０は、ステップＤ１で交通情報要求を送信後、交通情報を受信するまで待っている。情報収集センター端末２３０から通知された交通情報を受信すると（ステップＤ４）、ユーザー端末２１０の画面に、交通情報を表示する（ステップＤ５）。
【００８４】
このように、本第２の実施の形態では、情報収集センターがすでに保持している交通情報に、インターネット等の不特定ユーザーに公開されているメディアを経由して交通情報を取得できるため、情報の公開範囲が拡大することにより、普及度が増大するという効果が得られる。
【００８５】
【発明の効果】
以上説明したように、本発明の双方向情報提供型ナビゲーションシステムと方法は、
第１の効果は、ユーザーが主要な道路以外の渋滞情報や工事による通行止め等の交通情報を自分の必要としている交通情報として得られる。
【００８６】
その理由は、システムに加入しているユーザー達が主要な道路以外の交通情報を交通情報提供者に提供し、それらの交通情報をぉ互いに利用できるからである。
【図面の簡単な説明】
【図１】本発明の第１の実施の形態の双方向情報提供型ナビゲーションシステムと方法の一実施の形態を示す構成図である。
【図２】本発明の第１の実施の形態の双方向情報提供型ナビゲーションシステムと方法のシステムへユーザー登録する動作を示す流れ図である。
【図３】本発明の第１の実施の形態の双方向情報提供型ナビゲーションシステムと方法のユーザーが交通情報をシステムへ提供する動作を示す流れ図である。
【図４】本発明の第１の実施の形態の双方向情報提供型ナビゲーションシステムと方法のユーザーが交通情報をシステムから提供される動作を示す流れ図である。
【図５】本発明の第２の実施の形態の双方向情報提供型ナビゲーションシステムと方法の一実施の形態を示す構成図である。
【図６】本発明の第２の実施の形態の双方向情報提供型ナビゲーションシステムと方法のユーザーが交通情報をシステムへ提供する動作とシステムから提供される動作を示す流れ図である。
【符号の説明】
１０，２１０　　ユーザー端末
２０，２２０　　ユーザー管理センター端末
３０，２３０　　情報収集センター端末
４０　　情報提供センター端末
１００，３００　　交通情報ネットワーク
１１０　　情報提供メディア
１２０，３１０　　管理ネットワーク
【図１】
2004062514.tif 000003
【図２】
2004062514.tif 000004
【図３】
2004062514.tif 000005
【図４】
2004062514.tif 000006
【図５】
2004062514.tif 000007
【図６】
2004062514.tif 000008